(57)【要約】      （修正有）【課題】ガスストリームにおけるＮＯｘ化合物の還元のための触媒ユニットを提供する。【解決手段】排気ガスストリーム中のＮＯｘ化合物の還元が意図され、チャネル９を規定する支持構造１０を有する触媒ユニットであって、該触媒ユニットは、該構造１０が、ＮＯｘを中間体ガス種に変換するための銀／アルミナ物質の層１１を備え、該構造１０はまた、酸化のためのいかなる部位も、いかなる酸性部位も含まない物質の分解層１２を備え、該物質は、好ましくは、炭化ケイ素、金、シリケート、塩基性金属酸化物、活性炭、またはすすからなり、該分解層１２は、該層１１において形成された該中間体ガス種のＮ２への分解を加速し、そして容易にすることを特徴とする、触媒ユニット。【選択図】図４
2010284648.tif 000002
【特許請求の範囲】
【請求項１】
排気ガスストリーム中のＮＯｘ化合物の還元が意図され、チャネル（９）を規定する支持構造（１０）を有する触媒ユニットであって、該触媒ユニットは、該構造（１０）が、ＮＯｘを中間体ガス種に変換するための銀／アルミナ物質の層（１１）を備え、該構造（１０）はまた、酸化のためのいかなる部位も、いかなる酸性部位も含まない物質の分解層（１２）を備え、該物質は、好ましくは、炭化ケイ素、金、シリケート、塩基性金属酸化物、活性炭、またはすすからなり、該分解層（１２）は、該層（１１）において形成された該中間体ガス種のＮ２への分解を加速し、そして容易にすることを特徴とする、触媒ユニット。
【請求項２】
請求項１に記載の触媒ユニットであって、前記チャネル（９）が、前記銀／アルミナの層（１１）および前記分解層（１２）で内側をコーティングされていることを特徴とする、触媒ユニット。
【請求項３】
前記銀／アルミナの層（１１）が、酸化アルミニウムとともに銀または酸化銀の小さいクラスターを含むことを特徴とする、請求項１または２に記載の触媒ユニット。
【請求項４】
前記銀／アルミナの層（１１）および前記分解層（１２）が互いの上に配置されていることを特徴とする、請求項１〜３のいずれか１項に記載の触媒ユニット。
【請求項５】
前記支持構造（１０）が、一体化された材料からなる層（１３）によりコーティングされており、該一体化された材料が、銀／アルミナと、酸化のためのいかなる部位も、いかなる酸性部位も含まない物質とを含むことを特徴とし、該材料は、好ましくは、炭化ケイ素、金、シリケート、塩基性金属酸化物、活性炭、またはすすからなる、請求項１〜３のいずれか１項に記載の触媒ユニット。
【請求項６】
前記支持構造（１０）が菫青石から作製されていることを特徴とする、請求項１〜５のいずれか１項に記載の触媒ユニット。
【請求項７】
請求項１〜６のいずれか１項に記載の触媒ユニットであって、還元剤の供給のための取り付け点が、前記構造（１０）の上流に配置されることを特徴とする、触媒ユニット。
【請求項８】
請求項１〜７のいずれか１項に記載の触媒ユニットであって、該触媒ユニットは、前記触媒ユニットに関するＮＯｘ濃度に対応するシグナルを発生させるためのＮＯｘセンサを備えることを特徴とする、触媒ユニット。
【請求項９】
請求項１〜８のいずれか１項に記載の触媒ユニットであって、該触媒ユニットは、ＨＣ吸着材に接続されていることを特徴とする、触媒ユニット。
【請求項１０】
自動車に配置された燃焼エンジンからの排気ガスストリームを精製する目的で、請求項１〜９のいずれか１項に記載の触媒ユニットを含む、自動車。
【発明の詳細な説明】
【技術分野】
【０００１】
本発明は、ガスストリームにおけるＮＯｘ化合物の還元のための触媒ユニットに関し、このユニットは、銀／アルミナ型の、触媒的に活性な物質を含む。
【背景技術】
【０００２】
（先行技術）
燃焼エンジンを用いて操作される車に関連して、エンジンからの排気ガスにおける有害な物質の低い排出が、一般に要求される。これらの物質は、主に、酸化窒素化合物（ＮＯｘ）の形態の化合物、炭化水素化合物（ＨＣ）および一酸化炭素（ＣＯ）からなる。先行技術に従い、従来のガソリンエンジンからの排気ガスは、排気ガス触媒を用いて浄化され得、この触媒は、排気ガスシステムの一部を形成し、排気ガスはこれに導かれる。３通りに作用する触媒型の排気ガス触媒において、上述の有害な化合物のより大部分は、公知の触媒反応によって除去される。触媒の機能を最適化するために、ＮＯｘ化合物、ＨＣ化合物およびＣＯ化合物に関し、触媒が可能な限り大きな浄化効果を生じることを保障するため、殆どの運用例において、化学量論の空気／燃料混合物（すなわち、λ＝１である混合物）を用いてエンジンが操作される。コンピューターベースの制御ユニットは、この化学量論混合物が、各それぞれの車に関連し得る運用例において維持されることを、保障するために使用され得る。
【０００３】
さらに、車に関連して、可能な限り大きく燃焼エンジンの燃料消費量を減少する一般の必要が存在する。このため、エンジンの円筒に新型の燃焼チャンバを有するエンジンが、近年開発されており、特に、徐々に減少する（ｉｎｃｒｅａｓｉｎｇｌｙ  ｌｅａｎ）燃料混合物を用いる（すなわち、ここでλ＞１である）エンジンを操作可能にする目的で開発されている。希薄燃焼型（ｌｅａｎ−ｂｕｒｎ  ｔｙｐｅ）と呼ばれるエンジン（すなわち、直接注入Ｏｔｔｏエンジン）において、エンジンにおける各燃焼チャンバは、供給される燃料が、各それぞれのイグニション・プラグで高度に濃縮され得るように配置され得る。この操作状態は、通常、「犠牲」操作と呼ばれ、エンジンが低いかまたは中程度のトルクおよび回転速度で連続して作動する場合、非常に少ない空気−燃料混合物（より詳細には、約λ＝３まで）を使用することを可能にする。これは、この型のエンジンの場合に、燃料消費量において実質的な節約をもたらす。このエンジンは、さらに、主化学量論（λ＝１）の混合物または比較的豊富な（λ＜１）混合物のどちらかを用いて、「均一な」操作状態で操作され得る。後者の操作状態は、通常、エンジンが比較的高いトルクおよび回転速度で作動される場合に、存在する。特定のさらなる状態（均一な状態と層別化状態を除き）もまた、希薄燃焼エンジンの例に当てはまり得る。
【０００４】
希薄燃焼エンジンにおいて、従来の３通りに作用する触媒は、混合物が化学量論である場合、触媒が最適な浄化能力を有するように設計される事実に起因して、ＮＯｘ化合物を還元するために使用され得ない。この理由で、通常３通りに作用する触媒は、窒素酸化物吸着材（ａｄｓｏｒｂｅｎｔ）（ＮＯｘ吸着材または「ＮＯｘトラップ」とも呼ばれる）と組み合わされ得、これはデバイスであり、それ自体、（例えば、燃焼エンジンからの排気ガスにおいて）ＮＯｘ化合物を吸着することが公知である。ＮＯｘ吸着材は、このようにして、３通りに作用する触媒の上流の分離ユニットとしてか、または３通りに作用する触媒と一体化される（すなわち、３通りに作用する触媒に属する触媒物質と一緒になる）かのどちらかで、従来の３通りに作用する触媒に対する補完物（ｃｏｍｐｌｅｍｅｎｔ）として使用され得る。後者の場合、一体化された構成要素は、次いで、ＮＯｘ吸着排気ガス触媒の形態で構成される。
【０００５】
ＮＯｘ化合物の還元に関連する必要が、異なる型の燃焼エンジン（例えば、上述のようにディーゼルエンジンと希薄燃焼エンジンとの場合）に関連して該当することが、留意され得る。従って、このような状況において、従来の３通りに作用する触媒が、ＮＯｘ化合物の還元のための触媒として作用することは不可能である。
【０００６】
ＮＯｘ吸着材は、エンジンが少ない空気／燃料混合物で操作される場合に排気ガス中のＮＯｘ化合物を取り込み（吸着し）、エンジンが豊富な空気／燃料混合物で一定時間作動する場合、ＮＯｘ化合物を放出する（脱着する）ように構成される。さらに、ＮＯｘ吸着材は、特定の限界までしかＮＯｘ化合物を吸着しない（すなわち、徐々に「満たされ（ｆｉｌｌｅｄ）」、そしてこのように吸着の限界に到達する）特徴を有する。この状況において、ＮＯｘ吸着材は、再生されるべきである（すなわち、蓄積したＮＯｘ化合物を脱着させ、その後放出させるべきである）。従って、従来の３通りに作用する触媒がＮＯｘ吸着材の下流に配置される場合、あるいは、３通りに作用する触媒がＮＯｘ吸着材に組み込まれるように設計される場合、脱着されたＮＯｘ化合物は、３通りに作用する触媒によって除去され得、但し、後者は、その点火温度に到達している。
【０００７】
先行技術に従い、ＮＯｘ吸着材は、一定時間で比較的豊富に作られるＮＯｘ吸着材を通って流れる、数秒の位の大きさの排気ガス混合物により再生され得る。実際に、これは、この一定時間の上述の均一な操作状態で操作されるエンジンによってなされ、すなわち、エンジンは、その後比較的豊富な空気／燃料混合物で操作される。この様式において、ＮＯｘ吸着材は、「空にされ」、その結果、これはその後、一定時間ＮＯｘ化合物を吸着し得、新規な再生が必要になるまで続く。
【０００８】
ＮＯｘ化合物を再生するための上述の手順は、それ自体よく機能するが、エンジンの燃料消費量にネガティブ方向で影響するという点で欠点がある。何故なら、これは、一定の間隔で、豊富な排気ガス混合物で操作されるべきエンジンに基づくためである。従って、希薄燃焼エンジンおよびディーゼルエンジンの場合に、比較的大過剰な酸素を有する排気ガスにおけるＮＯｘ化合物の効率的な還元を達成するための代替の方法の必要が存在する。酸素過剰のＮＯｘ化合物に関する他の燃焼プロセスの場合に、（例えば、動力および加熱プラントを連結した焼却プラント、住居用ボイラー、燃料ガス浄化などに関連して）類似の状況が存在する。
【発明の概要】
【課題を解決するための手段】
【０００９】
本発明は、例えば、以下を提供する：
（項目１）
ガスストリームにおけるＮＯｘ化合物の還元が意図され、銀／アルミナ型の触媒的に活性な物質を含む触媒ユニット（１；１’）であって、該触媒ユニット（１；１’）は、該触媒的に活性な物質を含む少なくとも１つの第１の反応ゾーン（３ａ、３ｂ、３ｃ、３ｄ、３ｅ）およびＮ２が形成される該第１の反応ゾーン（３ａ、３ｂ、３ｃ、３ｄ、３ｅ）中に形成されるガス種の崩壊を可能にするように配置される少なくとも１つの第２の反応ゾーン（４ａ、４ｂ、４ｃ、４ｄ、４ｅ；８ａ、８ｂ、８ｃ、８ｄ、８ｅ）を備え、該ガスストリームは、該第１の反応ゾーン（３ａ、３ｂ、３ｃ、３ｄ、３ｅ）および該第２の反応ゾーン（４ａ、４ｂ、４ｃ、４ｄ、４ｅ；８ａ、８ｂ、８ｃ、８ｄ、８ｅ）を通して運ばれることを特徴とする、触媒ユニット。
（項目２）
項目１に記載の触媒ユニット（１；１’）であって、上記第１の反応ゾーン（３ａ、３ｂ、３ｃ、３ｄ、３ｅ）は、上記触媒的に活性な物質を含む触媒ベッドからなり、上記第２の反応ゾーン（４ａ、４ｂ、４ｃ、４ｄ、４ｅ；８ａ、８ｂ、８ｃ、８ｄ、８ｅ）は、該触媒ベッド（３ａ、３ｂ、３ｃ、３ｄ、３ｅ）の下流に配置されることを特徴とする、触媒ユニット。
（項目３）
項目２に記載の触媒ユニット（１；１’）であって、該触媒ユニットは、上記触媒的に活性な物質を含む多くの触媒ベッド（３ａ、３ｂ、３ｃ、３ｄ、３ｅ）および多くの第２の反応ゾーン（４ａ、４ｂ、４ｃ、４ｄ、４ｅ；８ａ、８ｂ、８ｃ、８ｄ、８ｅ）を含み、該ベッドは、該触媒ユニット（１；１’）における長手軸方向において互いから離れて配置され、該第２の反応ゾーンは、各それぞれの触媒ベッド（３ａ、３ｂ、３ｃ、３ｄ、３ｅ）の下流に配置され、上記分解を可能にするように配置されていることを特徴とする、触媒ユニット。
（項目４）
項目１〜３の１項に記載の触媒ユニット（１；１’）であって、各それぞれの第２の反応ゾーンは、ガス相反応器（４ａ、４ｂ、４ｃ、４ｄ、４ｅ）からなり、上記触媒ベッド（３ａ、３ｂ、３ｃ、３ｄ、３ｅ）において形成される上記ガス種の大部分の分解に対応する長さ（Ｌ２；Ｌ３）を有し、該触媒ベッドは、上記反応ゾーン（４ａ、４ｂ、４ｃ、４ｄ、４ｅ）の上流に配置されることを特徴とする、触媒ユニット。
（項目５）
項目１〜３の１項に記載の触媒ユニット（１；１’）であって、上記第２の反応ゾーン（８ａ、８ｂ、８ｃ、８ｄ、８ｅ）は、上記ガス種がＮ２に分解される崩壊と関連して、上記崩壊を促進する物質を含むことを特徴とする、触媒ユニット。
（項目６）
項目１〜５の１項に記載の触媒ユニット（１；１’）であって、該触媒ユニットは、少なくとも上記第１の反応ゾーン（３ａ、３ｂ、３ｃ、３ｄ、３ｅ）の上流に還元剤の供給のために配置されることを特徴とする、触媒ユニット。
（項目７）
ガスストリーム中のＮＯｘ化合物の還元が意図され、銀／アルミナ型の触媒的に反応性の物質（１１）を含む触媒ユニットであって、該触媒ユニットは、該触媒的に活性な物質の内部層（１１）を有するチャネル（９）とともに配置される構造（１０）を備え、該構造（１０）はまた、該層（１１）に形成されるガス種の崩壊を可能にするさらなる物質を含み、該崩壊と関連して、Ｎ２が形成されることを特徴とする、触媒ユニット。
（項目８）
項目７に記載の触媒ユニットであって、上記物質は、上記銀／アルミナ物質（１１）と関連して配置される層（１２）からなることを特徴とする、触媒ユニット。
（項目９）
項目８に記載の触媒ユニットであって、上記物質は、上記銀／アルミナ物質もまた含む層（１３）からなることを特徴とする、触媒ユニット。
（項目１０）
項目５または７〜９の１項に記載の触媒ユニットであって、上記物質は、ＮＯｘ吸着材料であることを特徴とする、触媒ユニット。
（項目１１）
項目５または７〜１０の１項に記載の触媒ユニットであって、上記物質は、炭化ケイ素、金、シリケート、塩基性金属酸化物、活性炭、またはすすからなることを特徴とする、触媒ユニット。
（項目１２）
項目７〜１１の１項に記載の触媒ユニットであって、上記構造（１０）の上流に還元剤を供給するために配置されることを特徴とする、触媒ユニット。
（項目１３）
項目１〜１２の１項に記載の触媒ユニットであって、該触媒ユニットは、上記触媒ユニットに関するＮＯｘ濃度に対応するシグナルを発生させるためのＮＯｘセンサを備えることを特徴とする、触媒ユニット。
（項目１４）
項目１〜１３の１項に記載の触媒ユニットであって、該触媒ユニットは、ＨＣ吸着材に接続されていることを特徴とする、触媒ユニット。
（項目１５）
項目１〜１４の１項に記載の触媒ユニットであって、上記ガス種は、上記第１の反応ゾーン（３）における触媒表面において、およびガス相への主要通路において形成される不安定な中間体ガス種からなることを特徴とする、触媒ユニット。
（項目１６）
項目１５に記載の触媒ユニットであって、該触媒ユニットは、上記ガス種が上記触媒表面に戻る前に、該ガス種の上記崩壊を原理的に発生させるように配置されることを特徴とする、触媒ユニット。
（項目１７）
自動車に配置された燃焼エンジンからの排気ガスストリームを精製する目的で、項目１〜１６の１項に記載の触媒ユニット（１；１’）を含む、自動車。
（発明の開示）
本発明の第１の目的は、ＮＯｘ化合物を触媒的に浄化するための改善されたデバイスを提供することであり、このデバイスにおいて、上述の必要は満たされ、問題は解決される。
【００１０】
上述の目的は、序論で述べた型の触媒ユニットを使用して達成され、このユニットは、上記の触媒活性物質を含む少なくとも第１の反応ゾーンならびに上記第１の反応ゾーンにおいて形成される種類のガスの分解を（Ｎ２の形成と共に）可能にするように配置される少なくとも１つの第２の反応ゾーンを備え、そしてここで、ガスストリームは、第１の反応ゾーンおよび第２の反応ゾーンを通って導かれることを特徴とする。
【００１１】
上記の目的はまた、序論で述べられた型の触媒ユニットを用いて達成され、このユニットは、触媒ユニットが、上記触媒活性物質の内部層を備えるチャネルを配置した構造を備えることで特徴付けられ、上記構造はまた、上記層において形成される種類のガスの分解を、この分解に関連するＮ２の形成と共に可能にするさらなる物質を含む。
【００１２】
本発明は、特定の利益を達成する。第１および最も重要なことは、本発明は、燃焼エンジンからの排気ガスにおけるＮＯｘ化合物の有効な還元を提供する。本発明の特定の適用は、希薄燃焼エンジンおよびディーゼルエンジン（これらの排気ガスは比較的大きく酸素の過剰を示す）からの排気ガスを浄化することに関連する。
【００１３】
本発明は、好ましい実施形態および含まれる図面に関連して記載される。
【図面の簡単な説明】
【００１４】
本発明は、好ましい実施形態および添付の図面を参照しながら記載される。
【図１】図１は、第１の実施形態に従う本発明に従うデバイスを、図表形状で示す。
【図２】図２は、第２の実施形態に従う本発明に従うデバイスを、図表形状で示す。
【図３】図３は、図１における線Ｉ−Ｉに沿った拡大断面図を示す。
【図４】図４は、主に図３に対応する断面図を示すが、代替の第３の実施形態を示す。
【図５】図５は、主に図３および図４に対応する断面図を示すが、代替の第４の実施形態を示す。
【発明を実施するための形態】
【００１５】
（好ましい実施形態）
ここで、本発明は、好ましい実施形態を参照しながら説明される。本発明は、図には示さないが希薄燃焼型エンジンのガソリンエンジンまたは、代わりにディーゼルエンジンからなる燃焼エンジンに関連して使用されることが意図される。これらの２つの型のエンジンにおいて、比較的大過剰の酸素を含む排気ガスストリーム中のＮＯｘ化合物の減少についての必要が存在する。しかし、本発明の背後にある原則は、これらの２つのエンジン型と共に使用されるのみに限定されず、従来のガソリンエンジンにもまた適用され得る。本発明は、車に関連して使用されることのみにも限定されない；対照的に、これは、例えば、動力プラントおよび加熱プラントを連結した焼却プラント、住居用ボイラーまたは燃料ガス浄化に関連してもまた、酸素過剰のＮＯｘ化合物を含むガスストリームが生成されることに関連して、適用され得る。
【００１６】
図１から認められ得るように、本発明は、従来の様式において、燃焼エンジン（示されず）の下流に、すなわち、燃焼エンジンの外向き排気パイプ２に沿って、配置されるように意図される触媒ユニット１からなる。燃焼エンジンからの排気ガスストリームは、次いで、図１における矢印によって示される方向において排気パイプ２に沿って運ばれる。第１の実施形態に従って、その触媒ユニット１は、便宜的に多くの触媒構成要素（触媒ベッド３ａ、３ｂ、３ｃ、３ｄおよび３ｅといわれる）からなる少なくとも１つの第１の反応ゾーンから構成されており、これらは、触媒ユニット１の長手軸方向に配置され、順に、ガス相反応器４ａ、４ｂ、４ｃ、４ｄおよび４ｅからなり、それぞれ触媒ベッド３ａ、３ｂ、３ｃ、３ｄおよび３ｅの下流に配置される、対応する多くの第２の反応ゾーンによって分離されている。
【００１７】
その第１の触媒ベッド３ａは、その後に続く第１のガス相反応器４ａとともに触媒的に活性なユニットを形成し、これは、以下に記載されるように、排気ガスストリーム中の特定の量のＮＯｘ化合物を変換および還元し得る。類似の触媒的に活性なユニットは、図１において認められるように、他の触媒ベッド３ｂ、３ｃ、３ｄおよび３ｅならびにガス相反応器４ｂ、４ｃ、４ｄおよび４ｅによって規定される。各々このような触媒的に活性なユニットは、触媒ベッド（すなわち、第１の反応ゾーン）およびその後に続くガス相反応器（すなわち、第２の反応ゾーン）によって形成され、その排気ガスストリームにおけるＮＯｘ化合物の量の減少を生じる。このことは、その触媒ユニット１を使用して達成されるＮＯｘ化合物の全体的減少が、そのそれぞれの触媒ベッド３ａ、３ｂ、３ｃ、３ｄおよび３ｅならびにガス相反応器４ａ、４ｂ、４ｃ、４ｄおよび４ｅから得られる寄与の総和によって与えられることを意味する。
【００１８】
図１に示されるものに従って、かつ以下に記載されるものに従って、触媒ベッド３ａ、３ｂ、３ｃ、３ｄおよび３ｅならびにガス相反応器４ａ、４ｂ、４ｃ、４ｄおよび４ｅはともに、例えば、ＮＯｘ化合物を減少するために５つの触媒的に活性なユニットに対応して、数が５つである。しかし、本発明の根底にあるその原理は、その構成要素の与えられた数に制限されない；対照的に、異なる数が使用され得る。一般的様式において、その排気ガスストリーム中のＮＯｘ化合物中で達成される減少が、使用されるユニット数に比例することが述べられ得る。しかし、本発明が、大量生産車において実際に適用される場合、その完全な触媒ユニット１の長さ（その長さは、順に触媒ベッドおよびガス相反応器の数に比例する）はまた、車において利用可能な空間および許容される費用のような制限要因に関して注意を払いつつ選択されなければならない。
【００１９】
その触媒ユニット１はさらに、問題の燃焼エンジンからの排気ガスを供給するための入り口５および外向きの浄化された排気ガスストリームのための出口６を備える。その触媒ユニット１はまた、好ましくは、酸化触媒７を備え、この酸化触媒は、次いで、最後のガス相反応器４ｅの下流、かつ出口６の前に配置される。触媒ベッド３ａ、３ｂ、３ｃ、３ｄおよび３ｅ、ならびにそのガス相反応器４ａ、４ｂ、４ｃ、４ｄおよび４ｅは、排気ガス中のＣＯおよびＨＣ化合物の含有量に影響を及ぼすことはできないので、その酸化触媒７は、これらのＣＯ化合物およびＨＣ化合物を減少させるために利用される。その酸化触媒７は、それ自体が従来の型のものであるので、本明細書中では詳細に記載されない。
【００２０】
本発明は、一体化された酸化触媒７を含む触媒ユニット１に限定されない。例えば、特定の適用において、これは、３通りに作用する触媒を使用することが便利であり得る。排気ガス中のＣＯ化合物およびＨＣ化合物のさらなる浄化の必要性は、問題の適用に依存して変化する。
【００２１】
本発明は、触媒ユニット１に（すなわち、触媒ベッドおよびガス相反応器と同じ物理ユニット内部に）一体化される様式で設計される酸化触媒７にも限定されない。選択肢として、酸化触媒は、完全に別個のユニットからなり得、そのユニットは、触媒ベッドおよびガス相反応器を含む触媒ユニットの下流に配置され得る。
【００２２】
触媒ユニット１に備えられる触媒ベッド３ａ、３ｂ、３ｃ、３ｄおよび３ｅは、好ましくは、銀−アルミナ型であり、すなわち、酸化アルミニウムとともに銀または酸化銀の小さなクラスターを含み、各それぞれの触媒ベッド３ａ、３ｂ、３ｃ、３ｄおよび３ｅにおけるチャネル構造を有するモノリス上の触媒的に活性なコーティングを形成する。ＮＯｘ化合物を触媒的に浄化するための銀−アルミナ型の触媒を使用することは、本質的に以前から公知である。しかし、先行技術とは対照的に、本発明は、二重の反応ゾーン（すなわち、上記の第１の反応ゾーンおよび上記の第２の反応ゾーン）とともに提供される触媒ユニット１に基づき、その反応ゾーンは、特定の化学反応が促進されるように設計され、その反応は、以下に詳細に記載される。この反応において、ＮＯｘ化合物の量が減少し、Ｎ２が形成される。図１に示されるように、本発明の実施形態は、５つの触媒的に活性なユニット（すなわち、その各々が１つの触媒ベッドおよび１つのガス相反応器からなる）を使用することに基づく。図１に示される実施形態に従って、その触媒ベッド３ａ、３ｂ、３ｃ、３ｄおよび３ｅは、触媒ユニット１の長手軸方向に（すなわち、排気ガスストリームの流れの方向に）互いから離れて配置される。
【００２３】
本発明の機能は、図１に対して言及しながらここでより詳細に記載される。問題の燃焼エンジンが操作される場合、排気ガスストリームが、その排気パイプ２を介して、そして触媒ユニット１へと運ばれる。従来の様式において、この排気ガスストリームは、ＣＯ化合物、ＨＣ化合物およびＮＯｘ化合物の形態において、有害な、よって望ましくないガス成分を含む。その排気ガスストリームが第１の触媒ベッド３ａに達すると、第１の触媒ベッド３ａにおける銀／アルミナ基材の表面に衝突するＮＯ分子およびＨＣ分子が関与する反応が起こる。これらの分子は、中間体ガス種の形態において不安定な中間体を与えるように反応する。この中間体の実質的な割合は、表面からガス相へと放出される。その中間体ガス種は不安定であり、かつ分解（すなわち、崩壊）する。この崩壊と関連して、Ｎ２（すなわち、好都合な結果である）が形成される。ＣＯもまた、この反応において形成される。
【００２４】
前述の反応はまた、排気ガスストリームにおいて見いだされる望ましくないガス成分でもあるＮＯ２の場合において起こることが見いだされた。これはさらに、前述の反応が、関連する型の燃焼エンジンからの排気ガスにおいて存在するＨＣ化合物の大部分に関して類似する原理である場合である。
【００２５】
第１の触媒ベッド３ａにおける前述の反応の結果は、どの不安定なガス種が形成されるかとともに、ガス種が触媒ベッド３ａの表面に戻り得ることである。このことが起こる場合、その窒素は、もう一度酸化され得、その結果、ＮＯｘ化合物（ＮＯまたはＮＯ２）が形成される。ＮＯｘ化合物の再形成をもたらすこの「逆反応（ｂａｃｋｒｅａｃｔｉｏｎ）」は望ましくなく、本発明に従って、ここで記載されるように、特別な様式において設計されている触媒ユニット１によってかなりの程度まで制限される。
【００２６】
この第１の触媒ベッド３ａは、その他の寸法とともに、その第１の触媒ベッド３ａの表面上でＨＣ化合物と反応する排気ガスストリーム中のＮＯｘ化合物のかなりの割合に対応する特定の長さＬ１を有する。その結果、その前述の中間体ガス種の大量の形成が存在する。その第１の触媒ベッド３ａの最適な長さＬ１についての特定の値は、パラメーター、例えば、その直径およびセル密度、その排気ガスストリームの流れの予測速度、ならびに温度などに依存して選択される。これらのパラメーターは、および結果として、その長さＬ１についての正確な値は、当然のことながら、問題の適用に依存して（例えば、問題のエンジン型に、性能に、予測される作動条件に、その排気ガスの流れの予測される速度に、問題の車における触媒ユニット１についての利用可能な空間に依存して）変化する。
【００２７】
その長さＬ１に関して実際の寸法とは無関係に、その場合、本発明に従って、そのドウェル時間は、好ましくは、触媒ユニット１に関係する温度に関して最適化されるべきである。選択肢として、反応性ガス種の割合は、このようにして、Ｎ２を生成するための所望の反応の速度に関して逆反応の速度を抑えるために、ＮＯｘ化合物の量に関して最適化されるべきであるといわれ得る。一般に、この反応の完了は、選択される長さＬ１に比例するといわれ得る。
【００２８】
中間体ガス種が形成されるように、その排気ガスストリームが第１の触媒ベッド３ａを徐々に通る場合、そのガス種はまた、Ｎ２が生じるように分解し始める。この段階において、その排気ガスストリームはまた、そのガス種の分解が連続することと関連して、第１のガス相反応器４ａへと前に流れる。その第１のガス相反応器４ａは、いかなる銀−アルミナ物質をも含まないので、その逆反応は、厳密に制限され、それにより、Ｎ２の形成に都合がよい。実際の実験によって、この分解は、３５０℃の温度で約３０ｍｓにおいて、形成されるそのガス種の量の約５０％が分解される（Ｎ２が放出される）ような速度で起こることが見いだされた。
【００２９】
図１に示されるその触媒ユニット１は、所定の長さＬ２を有する第１のガス相反応器４ａをさらに含む。この長さＬ２は、そのガス種の大部分（好ましくは、少なくとも９０％）が、反応し（すなわち、崩壊し）、その第１のガス相反応器４ａを通る排気ガスストリームの通過の間にＮ２形成を生じる時間を有することを確実にするように選択される。このことは、よって、その排気ガスの特定のドウェル時間を規定し、その結果、反応して、次の触媒ベッドによって規定される次の反応ゾーンに入る前に、Ｎ２を形成する時間を有する。しかし、その長さＬ２は、例えば、問題の車における利用可能な空間に関して注意を払いつつ、選択されなければならない。その長さＬ２についての適切な選択は、次の第２の触媒ベッド３ｂの表面に影響を与え、ＮＯｘ化合物の望ましくない再形成を生じさせるそのガス種の少なくともあり得る残りの量に対応する。第１のガス相反応器４ａの長さＬ２についての特定の値は、排気ガスストリームの流れの基本的な特定の予測速度および温度（これは、順に、問題のエンジン型などに依存する）を考慮しながら、およびそのガス種の例えば、少なくとも９０％が、第１のガス相反応器４ａを通る排気ガスストリームの通過の間に分解するべきという要件を基礎として考慮しながら決定され得る。しかし、例えば、９０％を超える他の限界値は、本発明の範囲内において許容可能である。
【００３０】
その第１の触媒ベッド３ａおよびその第１のガス相反応器４ａは、ともに、その排気ガスストリーム中のＮＯｘ化合物を減らすための触媒的に活性なユニットを形成する。その中間体ガス種の形成の結果として、ＮＯｘ化合物は吸収され、Ｎ２が放出される。その第１の触媒ベッド３ａおよび第１のガス相反応器４ａの長さＬ１の注意深い調和および最適化は、例えば、その排気ガスストリームの流速および温度に依存して、かつその第１の触媒ベッド３ａおよび第１のガス相反応器４ａの他の寸法およびパラメーターに依存して、排気ガスストリーム中のＮＯｘ化合物の実質的変換および周囲の大気への有害な排出物の減少を生じる。
【００３１】
その第１の触媒ベッド３ａおよび第１のガス相反応器４ａを通ったその排気ガスストリームは、特定の量のＮＯｘ化合物をなお含む。この理由のために、その触媒ユニット１は、好ましくは、さらなる触媒ベッド３ｂ、３ｃ、３ｄおよび３ｅならびにさらなるガス相反応器４ｂ、４ｃ、４ｄおよび４ｅの形態にあるさらなる触媒的に活性なユニットを含む。その第２の触媒的に活性なユニット（これは、その第２の触媒ベッド３ｂおよび第２のガス相反応器４ｂによって形成される）へ流れるＮＯｘ化合物の残りの量は、結果として、かなりの程度まで、この第２の触媒的に活性なユニットによって排除される。その後、そのユニットは、排気ガスストリームがその第２のガス相反応器４ｂを通る間にそのガス種が分解される（Ｎ２が形成される）ことを確実にする。その後、そのプロセスは、その残りの触媒ベッド３ｃ、３ｄおよび３ｅならびにガス相反応器４ｃ、４ｄおよび４ｅ、それぞれに沿って継続する。結論として、その５つのガス相反応器４ａ、４ｂ、４ｃ、４ｄおよび４ｅが、反応ゾーンを規定し、その反応ゾーンの長さＬ２および他の寸法は、そのガス種が崩壊し、Ｎ２が形成される上記の反応を可能にするように配置されることが述べられ得る。
【００３２】
図１からみられ得るように、その５つの触媒ベッド３ａ、３ｂ、３ｃ、３ｄおよび３ｅは、触媒ユニット１の長手軸方向に（すなわち、排気ガスストリームの流れの方向に）互いから分離され、それぞれの第１の反応ゾーン（すなわち、その触媒ベッド３ａ、３ｂ、３ｃ、３ｄおよび３ｅ）の間の空間は、それぞれの第２の反応ゾーン（すなわち、５つの対応するガス相反応器４ａ、４ｂ、４ｃ、４ｄおよび４ｅ）によって繋がれる。その排気ガスストリームが通過する各ユニット（１つの触媒ベッドおよび１つのその後に続くガス相反応器からなる）は、ＮＯｘ化合物の所定の変換および排除を生じる。実際の実験により、このような各ユニットが、とりわけ、使用される燃料に依存して、７０〜８０％の規模に達し得るＮＯｘ化合物の変換を生じ得ることを示した。より具体的には、本発明は、排気パイプ２を通って流れているＮＯｘ化合物の約７０〜８０％が、その第１の触媒的に活性なユニット３ａ、４ａに吸収される機能を有する。排気ガス中のＮＯｘの含有量は、その第１の触媒ベッド３ａを通る間に減少する。その後、その排気ガス中のＮＯｘ含有量は、主として、その排気ガスが、第１のガス相反応器４ａを通過するときに、一定レベルにある。その後、そのＮＯｘ含有量は、もう一度、その排気ガスがその第２の触媒ベッド３ｂなどを通過する場合に、７０〜８０％の規模にまで減少する。このことは、その完全な触媒ユニット１は、排気ガスストリーム中に存在するＮＯｘ化合物の計９９％以上を排除し得ることを意味する。残り得る中間体ガス種の任意の量が、酸化触媒７上でＮＯｘ化合物に逆反応し得る。
【００３３】
図１に示される実施形態に従って、そのガス相反応器４ａ、４ｂ、４ｃ、４ｄおよび４ｅは、空であり、すなわち、それらは、所定の長さＬ２を有し、各それぞれの触媒ベッド３ａ、３ｂ、３ｃ、３ｄおよび３ｅの間の反応ゾーンとして配置される、チューブ状接続からなる。図２に示される本発明の代替的実施形態に従って、そのガス種を窒素ガスに分解するのを促進する第２の触媒物質（分解触媒）を含むガス相反応器を利用する。この第２の触媒物質は、吸着によって、その第２の反応ゾーンにおけるそのガス種の崩壊反応自体および／またはドウェル時間を促進し、その結果、そのガス種のより大きな割合が反応して、その後に続く触媒ベッドに入る前にＮ２を形成する時間を有することになる物質であり得る。このことは、よって、図２に示されるように、代替的ガス相反応器８ａ、８ｂ、８ｃ、８ｄおよび８ｅを規定する。これらのガス相反応器８ａ、８ｂ、８ｃ、８ｄおよび８ｅは、結論として、Ｎ２形成に対して都合のよい効果を有する。
【００３４】
図２に示される実施形態は、結論として、各それぞれのガス相反応器８ａ、８ｂ、８ｃ、８ｄおよび８ｅが、Ｎ２が形成されるように、そのそれぞれのガス相反応器において上記の反応（すなわち、その中間体ガス種の所望の分解）を加速および達成し得る材料で設計される第２の反応ゾーンを規定するという原理に基づく。この目的に適切な第２の触媒材料は、酸化のためのいかなる部位も、いかなる酸性部位も含まない材料である。何かあるとしても、塩基性触媒を使用することは好都合である。この目的で、炭化ケイ素または金を使用することが好ましいが、本発明は、これらの材料単独に限定されない。例えば、シリケートまたは塩基性金属酸化物（ＭｇＯ、ＣａＯ、ＢａＯなど）型の材料を使用することが可能である。さらに、この目的でフラグメント活性炭またはすすを使用することが可能である。これはさらに、各それぞれのガス相反応器８ａ、８ｂ、８ｃ、８ｄおよび８ｅが、別個の触媒モノリスからなり得るか、または代わりに、各それぞれの触媒ベッド３ａ、３ｂ、３ｃ、３ｄおよび３ｅ（図２）の後ろ部分（すなわち、各それぞれの後ろ側部分が適切な分解触媒中に浸漬されている）からなり得る場合である。
【００３５】
図２に示される実施形態において、そのガス種の分解は、各それぞれのＮ２形成ガス相反応器８ａ、８ｂ、８ｃ、８ｄおよび８ｅにおいて使用される上記の材料の結果として比較的迅速に起こる。このことはまた、例えば、各それぞれのガス相反応器８ａ、８ｂ、８ｃ、８ｄおよび８ｅの長さＬ３が、図１に示されるように、ガス相反応器４ａ、４ｂ、４ｃ、４ｄおよび４ｅの長さＬ２より短く作られ得ることを意味する。このことは、続いて、図２に示される実施形態が、完全な触媒ユニット１’が、図１に示されるものよりも短く作られ得るという点で利点を示す；あるいは、図１に示される触媒ユニット１と同じ全長である触媒ユニット１’が、図１に示される実施形態よりも多くの触媒的に活性なユニット（順に、触媒ベッドおよびガス相反応器からなる）を含み得ることを意味する。
【００３６】
図１に示されるものと類似の様式において、図２に示される実施形態は、最後のガス相反応器８ｅの下流に配置される酸化触媒７を含み得る。あるいは、３通りに作用する触媒（ｔｈｒｅｅ−ｗａｙ  ｃａｔａｌｙｓｔ）を使用することが可能である。同様に、酸化触媒は、図２に示されるように、触媒ユニット１’と物理的に一体化した構成要素からなり得るか、または別個の構成要素からなり得、その別個の構成要素は、次いで、使用されるその触媒ベッドおよびガス相反応器の下流に配置される。その触媒ベッド３ａ、３ｂ、３ｃ、３ｄおよび３ｅ、ならびにそのガス相反応器８ａ、８ｂ、８ｃ、８ｄおよび８ｅは、その排気ガス中のＣＯ化合物およびＨＣ化合物の含有量を減少させるために設計されていないので、その酸化触媒７は、これらのＣＯ化合物およびＨＣ化合物を減少させるために使用される。
【００３７】
図３は、その上記の触媒ベッド（３ｅ）のうちの１つを通る断面を示し、その断面は、図１の線１−１によって示される。より具体的には、図３は、このような断面１−１に沿った多くのチャネル９の部分拡大図を示す。それ自体が以前から公知である様式において、各それぞれの触媒ベッド（図１における参照番号３ｅを参照のこと）は、支持構造１０から構成され、この支持構造は、順に、菫青石（ｃｏｒｄｉｅｒｉｔｅ）から構成される。この支持構造１０は、チャネル９を規定し、このチャネルは、好ましくは、形状が主に矩形である断面を示す。各それぞれのチャネル９の内部サイズは、触媒的に活性な銀／アルミナ材料の薄い層１１でコーティングされる。
【００３８】
図４は、主に図３に対応するが、本発明の第３の実施形態を例示する断面を示す。この第３の実施形態は、銀／アルミナから構成される上記の層１１を覆う分解層１２を含むことによって、上記の実施形態とは異なる。その分解層１２の目的は、Ｎ２が効率的に形成され得るように、その中間体ガス種の分解を加速しかつ容易にすることである。図２に示されるガス相反応器８ａ、８ｂ、８ｃ、８ｄおよび８ｅのものと類似の様式において、図４に示される分解層１２は、この分解を加速しかつ容易にし得る材料から作り上げられる。上記で特定される異なる型の物質（例えば、炭化ケイ素または金）は、次いで、分解層１２のために使用される。さらに、その分解層１２は、好ましくは多孔性であり、それにより、下にある層１１（ここで触媒反応が起こる）に対するガスの通過を可能にする。
【００３９】
図１に示される実施形態に従うガス種の分解が、触媒ユニット１の長手軸方向にある空間とともに提供される方法に対応する様式において、図４に示される配置は、各それぞれのチャネル９における横断方向にその分解のための空間を提供する。このことは、図４に示される配置が、互いから分離して配置される多くの触媒ベッドに基づく必要はないことを意味する。代わりに、図４に示されるように設計された１つの単一モノリスは、望ましい上記のＮ２形成を得るように配置され得る。
【００４０】
図４に示されるものに対する代替に従って、その層１１、１２は、その分解層１２が、その菫青石構造１０の直ぐ下に（すなわち、菫青石構造１０に最も近く）配置されるように、反対の様式において配置され得る一方で、その銀／アルミナ層１１が、上部に配置される。
【００４１】
本発明の第４の実施形態は、図５に示され、この図は、図３および４に原理的に対応するが、菫青石構造１０上に配置される代替層１３を含む断面である。この層１３は、順にその触媒的に活性な銀／アルミナ材料およびその上記の分解層（図４を参照のこと）におけるものと同じ型の分解材料（すなわち、炭化ケイ素または金）からなる一体化された材料からなる。この第４の実施形態はまた、Ｎ２が各それぞれの触媒ベッドにおいて効率的に形成されるように、その中間体ガス種の分解を生じる。
【００４２】
図４および５を参照して記載される実施形態はまた、図面に示されるように、第１の反応ゾーンおよび第２の反応ゾーン（すなわち、その異なる層１１、１２および１３の形態において）を含むといわれ得る。例えば、その層１１（図４）は、第１の反応ゾーンを構成するといわれ得る一方で、その層１２は、第２の反応ゾーンを構成する。前者の層１１は、銀−アルミナ型の触媒材料を含む一方で、その第２の層１２は、上記のように、Ｎ２形成を促進する材料を含む。そのガスは、異なる層の間で動き、かつその異なる層を通って拡散することを可能にされる。その反応ゾーンは、結論として、そのガスが通過されるようにする非常に小さな領域またはゾーンからなり得る。図５に示される実施形態はまた、第１の反応ゾーンおよび第２の反応ゾーン（すなわち、それぞれ触媒効果およびＮ２助触媒効果を有する層１３内の領域）を示すといわれ得、ガスは、それぞれ、その第１の反応ゾーンおよび第２の反応ゾーン中を交互に動くようにされる。
【００４３】
それぞれ、図４および５に示される実施形態は、それぞれ、図１および２に示されるその触媒ベッド３ａ、３ｂ、３ｃ、３ｄおよび３ｅにおけるそれぞれのチャネル９の考えられる設計を示す。図４および５に示される実施形態の各々は、図１に示される構造（すなわち、交互になった触媒ベッドおよびガス相反応器）または図２に示される構造（すなわち、交互になった触媒ベッド３ａ、３ｂ、３ｃ、３ｄおよび３ｅ、ならびに分解触媒８ａ、８ｂ、８ｃ、８ｄおよび８ｅ）と結合され得る。しかし、図４および５に示される実施形態が、いかなる挿入されたガス相反応器も使用することなく（すなわち、いかなる挿入された反応ゾーンも使用することなく）実行され得ることが強調されるべきである。好都合なことに、各それぞれの触媒ユニットは、それぞれ図４および５に示されるように、単一のモノリスであるその菫青石構造１０に基づいて構築される。
【００４４】
まとめると、Ｎ２が形成されるように、変換（ＮＯｘ化合物の還元）に使用されることが本発明の主な目的であることが述べられ得る。上記のように、本発明は、不安定な中間体ガスガス種が、ＮＯｘとＨＣが触媒表面で（すなわち、銀／アルミナ表面において）反応する場合に形成されるという具現化に基づく。このガス種は、その触媒表面に戻る場合にかなりの程度までＮＯｘに再形成されるのに対して、そのガス種は、その表面から一定距離で存在している場合に、Ｎ２の形成とともに、かなりの程度まで崩壊する。図１および２、ならびに上記の記載から明らかな、本発明の根底にある重要な原理は、形成されたそのガス種が、その触媒表面から離れたまま維持されることを確実にすることである。そのガス種が、触媒表面から一定距離をおいて十分に長時間にわたって維持され得る場合、Ｎ２に分解する時間を有する。本発明の一実施形態に従って、このことは、触媒を含む領域または含まない領域を交互に通ってガスを流すことを可能にすることによって達成される。結果として、そのガス種は、形成されるにつれてその表面から運び去られ、そのガス種がもう一度触媒表面に達する前に、Ｎ２が形成されるべき時間を有するにそのガス種のドウェル時間が十分長いことを確実にするように注意が払われる。
【００４５】
ドウェル時間をさらに延長させるために、その配置は、本発明に従って、そのガス種が吸着される材料が補充され得る。例えば、炭化ケイ素または金は、この目的で使用され得る。この材料は、別個のＮ２形成ガス相反応器（これは、図２において、参照番号８ａ、８ｂ、８ｃ、８ｄおよび８ｅによって示される）上に、または代わりに、そのそれぞれの触媒中に含まれるチャネル（それぞれ、図４および５における参照番号１２および１３を参照のこと）上に配置され得る。後者の場合、この物質は、別個の層（図４）として、または触媒銀／アルミナ材料（図５）と一体化された層として設計され得る。
【００４６】
本発明の好ましい実施形態に従って、ＮＯｘをＮ２にするその所望の変換は、互いから間隔を空けて配置される多くの触媒ベッド（空間的に設計された反応ゾーンによってその間隔が繋がれている）によって、またはそのＮ２の形成を促進かつ完了する材料とともに提供された触媒ユニットによってかのいずれかで達成される。前者の改変に従って、その排気ガスは、選択的ＮＯｘ還元について活性である銀−アルミナ触媒を交互に通過し、そしてその中間体ガス種からのＮ２の形成を完了するための触媒もしくはゾーンを交互に通過する。その上記の反応ゾーンは、順に、ガス相反応器（図１）または分解触媒（図２）からなり得る。さらに、その中間体ガス種の分解過程は、その触媒ベッドがそのガス相反応器中の活性材料に対応する材料を含むように設計される場合に、促進され得る。このことは、ＮＯｘ化合物を形成するためのいかなる逆反応を制限することもまた可能であることと関連して、結果として、排気ガスストリームからＮＯｘ化合物を効率的に排除する。
【００４７】
本発明の代替的実施形態（図面には示されない）に従って、図１および２に示されるその触媒ベッドのうちの１以上の前に適切な還元剤を供給することは可能である。これは、車に存在する燃料タンクとその触媒ベッド（ここにその還元剤が供給されることになる）の前（すなわち、上流）における取り付け点との間の接続を補助することで都合よく実施され得る。各それぞれの取り付け点への測定しながらの供給は、各それぞれの取り付け点において適切なバルブデバイスに接続される制御ユニットを使用して調節され得る。このような還元剤を供給することによって、好都合には、そのエンジンのための通常の燃料の形態において、その絶対濃度が可能な限り低いという点において、このようにして利点が得られる。そのあるものは、次に、自己位置決めの危険性を最小にすることである。還元剤を供給することに関する改変はまた、図４および５において示される実施形態において実行され得る。
【００４８】
本発明の別の改変に従って、水素ガスは、還元剤を供給するためのものと類似の様式において、各それぞれの触媒ベッドに供給され得る。比較的低温（約２００〜３５０℃）で特徴づけられる操作例と特に関連して、特に、図２に示されるガス相反応器のうちの少なくとも１つに水素を供給することは有利である。
【００４９】
本発明が、還元剤または水素を供給することを包含するように設計され得る場合、１以上の触媒ベッドにおいてこの供給がもたらされ得る。この供給はまた、異なる量が、異なる触媒ベッドにおいて測定しながら供給されるようにもたらされ得る。
【００５０】
本発明が、還元剤または水素を供給することを包含するように設計される場合、各それぞれの触媒ユニットは、さらに好都合なことに、ＮＯｘセンサ（すなわち、その触媒ユニットに沿って適切な点におけるＮＯｘ化合物の優勢な濃度を検出するためのセンサ）とともに提供され得る。この濃度に対応するシグナルは、制御ユニットに供給され得、その制御ユニットは、順に、例えば、ＮＯｘ形成、ＮＯｘ還元およびＮ２生成に関して最適化される様式で車のタンクから還元剤を測定しながら供給するように配置される。この性質のＮＯｘセンサはまた、次いで、このシステムを診断する場合に使用され得る。
【００５１】
別の改変に従って、燃焼プロセス、その点火プロセス、燃料注入などを制御するためにそれ自体公知の様式で使用される上記の型の制御ユニットは、排気ガスの温度を上記の反応に有利なレベルにまで導くために、本発明に関連して、設計され得る。言い換えると、この性質の制御ユニットは、その排気ガスの温度が、その反応が十分な温度にまで加熱されるように十分高いことを確実にするように使用され得る。
【００５２】
さらに、その触媒ユニットは、本発明に従って、比較的低温においてすらＨＣ化合物をこのように利用するために、ＨＣ吸着剤が補給され得る。このようなＨＣ吸着剤は、この場合に、触媒ユニットの残りの部分と一体化されるように設計され得るか、または代わりに別個のその次のユニットとして設計され得る。
【００５３】
本発明の別の実施形態に従って、後者は、金属モノリス型の支持構造（すなわち、金属触媒本体）と関連して実行され得る。これは、それ自体公知であり、かつ平坦な金属シートおよび望ましい構造にともに成形される、プリーツ加工された金属シートを使用する構成である。本発明の別の実施形態に従って、この構造は、そのプリーツ加工されたシートが、銀−アルミナ材料でコーティングされ、平坦なシートがその上記のＮ２形成材料でコーティングされる（逆もまた同様）ように、設計され得る。平坦なシートおよびプリーツ加工されたシートは、積層体として互いの上に配置され得、それによって、絶縁層を有する構造が得られ得る。
【００５４】
本発明は、上記の実施形態に限定されず、上記の特許請求の範囲の範囲内で変化され得る。例えば、触媒ベッド、ガス相反応器および分解触媒の数は変化し得る。同様に、その付属の構成要素の寸法および他のパラメーターは、本発明の範囲内で変化し得る。例えば、図３〜５において示される層１１、１２および１３は、１０〜４０μｍの大きさの厚みを有し得る一方で、この寸法は、その適用に依存して変化し得る。
【００５５】
第２の反応ゾーンの代わりに、水素の供給を利用することが可能である。水素がこのようにして供給される場合、問題のガス種のガス相分解はない。
【図１】
2010284648.tif 000003
【図２】
2010284648.tif 000004
【図３】
2010284648.tif 000005
【図４】
2010284648.tif 000006
【図５】
2010284648.tif 000007